(57)【要約】【課題】多様な周波数に対応できる逓倍回路、発振器、電子機器及び移動体を提供すること。【解決手段】逓倍回路１は、第１同調回路１００を有する増幅回路１０と、制御データを記憶する記憶部２０と、制御データに基づいて、第１同調回路１００の同調周波数を制御する制御部３０と、を含む。この逓倍回路１において、第１同調回路１００は、例えば、第１インダクター回路部１１０と第１コンデンサー回路部１２０との並列回路である。【選択図】図１
2014197756.tif 000002
【特許請求の範囲】
【請求項１】
第１同調回路を有する増幅回路と、
制御データを記憶する記憶部と、
前記制御データに基づいて、前記第１同調回路の同調周波数を制御する制御部と、
を含む、逓倍回路。
【請求項２】
請求項１に記載の逓倍回路において、
前記第１同調回路は、第１インダクター回路部と第１コンデンサー回路部との並列回路である、逓倍回路。
【請求項３】
請求項１又は２に記載の逓倍回路において、
前記増幅回路の出力端子に一方の端子が接続された第２コンデンサー回路部と、
前記第２コンデンサー回路部の他方の端子と接地電位との間に設けられた第２同調回路と、
をさらに含み、
前記制御部は、
前記制御データに基づいて、前記第２同調回路の同調周波数を制御する、逓倍回路。
【請求項４】
請求項３に記載の逓倍回路において、
前記第２同調回路は、第２インダクター回路部と第３コンデンサー回路部との並列回路である、逓倍回路。
【請求項５】
請求項４に記載の逓倍回路において、
前記第１コンデンサー回路部、前記第２コンデンサー回路部及び前記第３コンデンサー回路部の少なくとも１つは、可変容量回路であり、
前記制御部は、前記可変容量回路の容量を制御する、逓倍回路。
【請求項６】
請求項５に記載の逓倍回路において、
前記可変容量回路は、容量アレイ回路を含む、逓倍回路。
【請求項７】
請求項５に記載の逓倍回路において、
前記可変容量回路は、可変容量素子を含む、逓倍回路。
【請求項８】
請求項４ないし７のいずれか１項に記載の逓倍回路において、
前記第１インダクター回路部及び前記第２インダクター回路部の少なくとも１つは、可変インダクタンス回路であり、
前記制御部は、前記可変インダクタンス回路のインダクタンスを制御する、逓倍回路。
【請求項９】
請求項８に記載の逓倍回路において、
前記可変インダクタンス回路は、インダクターアレイ回路を含む、逓倍回路。
【請求項１０】
請求項１ないし９のいずれか１項に記載の逓倍回路と、
共振子と、
前記共振子の振動に基づいて前記逓倍回路に発振信号を出力する発振回路と、
を含む、発振器。
【請求項１１】
請求項１ないし９のいずれか１項に記載の逓倍回路を含む、電子機器。
【請求項１２】
請求項１ないし９のいずれか１項に記載の逓倍回路を含む、移動体。
【発明の詳細な説明】
【技術分野】
【０００１】
本発明は、逓倍回路、発振器、電子機器及び移動体に関する。
【背景技術】
【０００２】
逓倍回路は、発振回路の出力信号から所望の高調波信号を同調回路によって選択して増幅する機能を有する。特許文献１には、このような逓倍回路を用いた逓倍型の水晶発振器が開示されている。
【先行技術文献】
【特許文献】
【０００３】
【特許文献１】特開２００６−４１７８１号公報
【発明の概要】
【発明が解決しようとする課題】
【０００４】
特許文献１に開示されている逓倍回路においては、発振回路の発振周波数が異なる場合や、必要な逓倍数が異なる場合には、同調回路での同調周波数を変えるために、逓倍回路を再設計する必要があった。このため、設計工数の増大や、多品種の逓倍回路を管理するための費用の増大を招いていた。
【０００５】
本発明は、以上のような技術的課題に鑑みてなされたものである。本発明のいくつかの態様によれば、多様な周波数に対応できる逓倍回路、発振器、電子機器及び移動体を提供することができる。
【課題を解決するための手段】
【０００６】
［適用例１］
本適用例に係る逓倍回路は、第１同調回路を有する増幅回路と、制御データを記憶する記憶部と、前記制御データに基づいて、前記第１同調回路の同調周波数を制御する制御部と、を含む、逓倍回路である。
【０００７】
本適用例によれば、記憶部に記憶された制御データに基づいて、制御部が第１同調回路の同調周波数を制御するので、第１同調回路の同調周波数を容易に変更できる。したがって、多様な周波数に対応できる逓倍回路を実現できる。
【０００８】
［適用例２］
上述の逓倍回路において、前記第１同調回路は、第１インダクター回路部と第１コンデンサー回路部との並列回路であることが好ましい。
【０００９】
これによって、簡易な構成で第１同調回路を構成できる。
【００１０】
［適用例３］
上述の逓倍回路において、前記増幅回路の出力端子に一方の端子が接続された第２コンデンサー回路部と、前記第２コンデンサー回路部の他方の端子と接地電位との間に設けられた第２同調回路と、をさらに含み、前記制御部は、前記制御データに基づいて、前記第２同調回路の同調周波数を制御することが好ましい。
【００１１】
これによって、第２同調回路をバンドパスフィルターとして機能させることができる。したがって、所望の高調波信号を精度よく取り出すことができる逓倍回路を実現できる。
【００１２】
［適用例４］
上述の逓倍回路において、前記第２同調回路は、第２インダクター回路部と第３コンデンサー回路部との並列回路であることが好ましい。
【００１３】
これによって、簡易な構成で第２同調回路を構成できる。
【００１４】
［適用例５］
上述の逓倍回路において、前記第１コンデンサー回路部、前記第２コンデンサー回路部及び前記第３コンデンサー回路部の少なくとも１つは、可変容量回路であり、前記制御部は、前記可変容量回路の容量を制御することが好ましい。
【００１５】
これによって、第１同調回路の同調周波数、第２同調回路の同調周波数及び第３コンデンサー回路部の容量を容易に制御できる逓倍回路を実現できる。
【００１６】
［適用例６］
上述の逓倍回路において、前記可変容量回路は、容量アレイ回路を含むことが好ましい。
【００１７】
これによって、可変容量回路の容量を容易に制御できる逓倍回路を実現できる。
【００１８】
［適用例７］
上述の逓倍回路において、前記可変容量回路は、可変容量素子を含むことが好ましい。
【００１９】
これによって、可変容量回路の容量を容易に制御できる逓倍回路を実現できる。
【００２０】
［適用例８］
上述の逓倍回路において、前記第１インダクター回路部及び前記第２インダクター回路部の少なくとも１つは、可変インダクタンス回路であり、前記制御部は、前記可変インダクタンス回路のインダクタンスを制御することが好ましい。
【００２１】
これによって、第１同調回路の同調周波数及び第２同調回路の同調周波数を容易に制御できる逓倍回路を実現できる。
【００２２】
［適用例９］
上述の逓倍回路において、前記可変インダクタンス回路は、インダクターアレイ回路を含むことが好ましい。
【００２３】
これによって、可変インダクタンス回路のインダクタンスを容易に制御できる逓倍回路を実現できる。
【００２４】
［適用例１０］
本適用例に係る発振器は、上述のいずれかの逓倍回路と、共振子と、前記共振子の振動に基づいて前記逓倍回路に発振信号を出力する発振回路と、を含む、発振器である。
【００２５】
［適用例１１］
本適用例に係る電子機器は、上述のいずれかの逓倍回路を含む、電子機器である。
【００２６】
［適用例１２］
本適用例に係る移動体は、上述のいずれかの逓倍回路を含む、移動体である。
【００２７】
これらの適用例に係る発振器、電子機器及び移動体によれば、多様な周波数に対応できる逓倍回路を含んでいるので、設計変更が容易な発振器、電子機器及び移動体を実現できる。
【図面の簡単な説明】
【００２８】
【図１】第１実施形態に係る逓倍回路１の回路図である。
【図２】第２コンデンサー回路部４０の容量と、所望波及び不要波の出力レベルとの関係の一例を示すグラフである。
【図３】容量アレイ回路の一例を示す回路図である。
【図４】第２実施形態に係る逓倍回路２の回路図である。
【図５】インダクターアレイ回路の一例を示す回路図である。
【図６】本実施形態に係る発振器２００の回路図である。
【図７】本実施形態に係る電子機器３００の機能ブロック図である。
【図８】電子機器３００の一例であるスマートフォンの外観の一例を示す図である。
【図９】本実施形態に係る移動体４００の一例を示す図（上面図）である。
【発明を実施するための形態】
【００２９】
以下、本発明の好適な実施例について図面を用いて詳細に説明する。用いる図面は説明の便宜上のものである。なお、以下に説明する実施例は、特許請求の範囲に記載された本発明の内容を不当に限定するものではない。また以下で説明される構成の全てが本発明の必須構成要件であるとは限らない。
【００３０】
１．第１実施形態
図１は、第１実施形態に係る逓倍回路１の回路図である。
【００３１】
第１実施形態に係る逓倍回路１は、第１同調回路１００を有する増幅回路１０と、制御データを記憶する記憶部２０と、記憶部２０に記憶された制御データに基づいて、第１同調回路１００の同調周波数を制御する制御部３０と、を含む。
【００３２】
増幅回路１０は、第１同調回路１００、トランジスター１１、抵抗１２、抵抗１３及び抵抗１４を含んで構成されている。トランジスター１１のコレクターと電源電位Ｖｃｃとの間に第１同調回路１００が設けられている。トランジスター１１のベースは、入力端子ＩＮに接続され、電源電位Ｖｃｃと接地電位ＧＮＤとの間に直列に接続された抵抗１２と抵抗１３との接続点に接続されている。トランジスター１１のエミッターと接地電位ＧＮＤとの間に抵抗１４が設けられている。
【００３３】
図１に示される例では、第１同調回路１００は、第１インダクター回路部１１０と第１コンデンサー回路部１２０との並列回路で構成されている。第１インダクター回路部１１０は、インダクター素子を含み、全体としてインダクターとして機能する。第１コンデンサー回路部１２０は、コンデンサー素子を含み、全体としてコンデンサーとして機能する。このような構成によって、簡易な構成で第１同調回路１００を構成できる。
【００３４】
このように構成された第１同調回路１００は、同調周波数においてインピーダンスが最大となり、同調周波数から離れた周波数においてインピーダンスがほぼ０となる。したがって、増幅回路１０は、理想的には、同調周波数の信号のみを増幅し、他の周波数の信号は増幅しない機能を有する。
【００３５】
記憶部２０は、制御部３０が第１同調回路１００の同調周波数を制御するための制御データを記憶する。記憶部２０としては、例えば、ＲＯＭ（Read Only Memory）や不揮発性
メモリーなど、種々の公知のメモリーを採用できる。制御データとしては、例えば、第１インダクター回路部１１０のインダクタンス値に関する情報、第１コンデンサー回路部１２０の容量値に関する情報、第１同調回路１００の同調周波数に関する情報、後述される第２コンデンサー回路部４０の容量値に関する情報、後述される第３コンデンサー回路部５２の容量値に関する情報、後述される第１インダクター回路部１１０ａのインダクタンス値に関する情報、後述される第２インダクター回路部５１ａのインダクタンス値に関する情報、後述される第２同調回路５０の同調周波数に関する情報、後述される第２同調回路５０ａの同調周波数に関する情報などが記憶部２０に記憶されていてもよい。
【００３６】
制御部３０は、記憶部２０に記憶されている制御データに基づいて、第１同調回路１００の同調周波数を制御する。制御部３０は、外部信号Ｓの入力を受け付けて、外部信号Ｓに含まれる情報に基づいて、制御に必要となる制御データを記憶部２０から読み出し、読み出した制御データに基づいて制御信号Ｓ１を第１同調回路１００に出力して、第１同調回路１００の同調周波数を制御してもよい。
【００３７】
第１実施形態に係る逓倍回路１によれば、記憶部２０に記憶された制御データに基づいて、制御部３０が第１同調回路１００の同調周波数を制御するので、第１同調回路１００の同調周波数を容易に変更できる。したがって、多様な周波数に対応できる逓倍回路１を実現できる。
【００３８】
逓倍回路１は、増幅回路１０の出力端子に直列に設けられた第２コンデンサー回路部４０と、第２コンデンサー回路部４０の出力端子と接地電位ＧＮＤとの間に設けられた第２同調回路５０と、をさらに含み、制御部３０は、記憶部２０に記憶された制御データに基づいて、第２同調回路５０の同調周波数を制御してもよい。
【００３９】
第２コンデンサー回路部４０は、コンデンサー素子を含み、全体としてコンデンサーとして機能する。第２コンデンサー回路部４０の第１端子は、トランジスター１１のコレクターに接続され、第２コンデンサー回路部４０の第２端子は、出力端子ＯＵＴに接続されている。
【００４０】
図１に示される例では、第２同調回路５０は、第２インダクター回路部５１と第３コンデンサー回路部５２との並列回路で構成されている。第２インダクター回路部５１は、インダクター素子を含み、全体としてインダクターとして機能する。第３コンデンサー回路部５２は、コンデンサー素子を含み、全体としてコンデンサーとして機能する。このような構成によって、簡易な構成で第２同調回路５０を構成できる。
【００４１】
このように構成された第２同調回路５０は、同調周波数においてインピーダンスが最大となり、同調周波数から離れた周波数においてインピーダンスがほぼ０となる。したがって、増幅回路１０は、理想的には、同調周波数の信号のみを出力端子ＯＵＴに通過させ、他の周波数の信号は通過させないバンドパスフィルターとしての機能を有する。
【００４２】
制御部３０は、記憶部２０に記憶されている制御データに基づいて、第２同調回路５０の同調周波数を制御する。制御部３０は、外部信号Ｓの入力を受け付けて、外部信号Ｓに含まれる情報に基づいて、制御に必要となる制御データを記憶部２０から読み出し、読み出した制御データに基づいて制御信号Ｓ２を第２同調回路５０に出力して、第２同調回路５０の同調周波数を制御してもよい。
【００４３】
第１実施形態に係る逓倍回路１によれば、第２同調回路５０をバンドパスフィルターとして機能させることができる。したがって、所望の高調波信号を精度よく取り出すことができる逓倍回路１を実現できる。
【００４４】
第１実施形態に係る逓倍回路１において、第１コンデンサー回路部１２０、第２コンデンサー回路部４０及び第３コンデンサー回路部５２の少なくとも１つは、可変容量回路であり、制御部３０は、可変容量回路の容量を制御してもよい。図１に示される例では、第１コンデンサー回路部１２０、第２コンデンサー回路部４０及び第３コンデンサー回路部５２はいずれも可変容量回路である。制御部３０は、第１コンデンサー回路部１２０に制御信号Ｓ１を出力することによって第１コンデンサー回路部１２０の容量を制御する。また、制御部３０は、第２コンデンサー回路部４０に制御信号Ｓ３を出力することによって第２コンデンサー回路部４０の容量を制御する。また、制御部３０は、第３コンデンサー回路部５２に制御信号Ｓ２を出力することによって第３コンデンサー回路部５２の容量を制御する。
【００４５】
第１コンデンサー回路部１２０の容量が変化すると、第１同調回路１００の同調周波数が変化する。また、第３コンデンサー回路部５２の容量が変化すると、第２同調回路５０の同調周波数が変化する。したがって、第１実施形態に係る逓倍回路１によれば、第１同調回路１００の同調周波数、第２同調回路５０の同調周波数及び第２コンデンサー回路部４０の容量を容易に制御できる逓倍回路１を実現できる。
【００４６】
ここで、第２コンデンサー回路部４０の容量を変更する意義について簡単に説明する。図２は、第２コンデンサー回路部４０の容量と、所望波及び不要波の出力レベルとの関係の一例を示すグラフである。横軸は第２コンデンサー回路部４０の容量（右に行くほど大）、縦軸は所望波及び不要波の出力レベル（上に行くほど大）を表す。
【００４７】
図２に示されるように、第２コンデンサー回路部４０の容量を変化させると、所望波（例えば、３倍波）の出力レベルに変化がないにも関わらず、不要波（例えば、基本波）の出力レベルが最小となるような第２コンデンサー回路部４０の容量が存在することが実験的に確かめられた。したがって、第２コンデンサー回路部４０の容量を制御部３０が制御することによって、所望の高調波信号を精度よく取り出すことができる逓倍回路１を実現できる。
【００４８】
第１コンデンサー回路部１２０、第２コンデンサー回路部４０及び第３コンデンサー回路部５２を構成する可変容量回路は、容量アレイ回路を含んで構成されていてもよい。図３は、容量アレイ回路の一例を示す回路図である。
【００４９】
図３に示される容量アレイ回路は、互いに並列に接続されたコンデンサーＣ１、コンデンサーＣ２、コンデンサーＣ３及びコンデンサーＣ４と、コンデンサーＣ１と直列に接続されたスイッチＳＷ１、コンデンサーＣ２と直列に接続されたスイッチＳＷ２、コンデンサーＣ３と直列に接続されたスイッチＳＷ３、及び、コンデンサーＣ４と直列に接続されたスイッチＳＷ４を含んで構成されている。コンデンサーＣ１、コンデンサーＣ２、コンデンサーＣ３及びコンデンサーＣ４の容量は、それぞれ異なっていてもよい。このように構成された容量アレイ回路は、スイッチＳＷ１〜ＳＷ４をオン状態にする組み合わせを変えることで、容量アレイ回路の全体としての容量を変更できる。
【００５０】
したがって、第１コンデンサー回路部１２０、第２コンデンサー回路部４０及び第３コンデンサー回路部５２として図３に示されるような容量アレイ回路を用いると、制御部３０は、スイッチＳＷ１〜ＳＷ４のオン／オフを制御することで容量を容易に制御できる。したがって、可変容量回路の容量を容易に制御できる逓倍回路１を実現できる。
【００５１】
第１コンデンサー回路部１２０、第２コンデンサー回路部４０及び第３コンデンサー回路部５２を構成する可変容量回路は、可変容量素子を含んで構成されていてもよい。可変
容量素子は、例えば、ＭＯＳ（Metal Oxide Semiconductor）型可変容量素子のような電圧制御型の可変容量素子であってもよい。
【００５２】
第１コンデンサー回路部１２０、第２コンデンサー回路部４０及び第３コンデンサー回路部５２として可変容量素子を用いると、制御部３０は、可変容量素子に制御信号（制御信号Ｓ１〜Ｓ３など）を出力することで、容量を容易に制御できる。したがって、可変容量回路の容量を容易に制御できる逓倍回路１を実現できる。
【００５３】
２．第２実施形態
図４は、第２実施形態に係る逓倍回路２の回路図である。なお、第１実施形態に係る逓倍回路１と同様の構成には同一の符号を付し、詳細な説明を省略する。
【００５４】
図４に示される例では、第１同調回路１００ａは、第１インダクター回路部１１０ａと第１コンデンサー回路部１２０との並列回路で構成されている。第１インダクター回路部１１０ａは、インダクター素子を含み、全体としてインダクターとして機能する。
【００５５】
また、図４に示される例では、第２同調回路５０ａは、第２インダクター回路部５１ａと第３コンデンサー回路部５２との並列回路で構成されている。第２インダクター回路部５１ａは、インダクター素子を含み、全体としてインダクターとして機能する。
【００５６】
第２実施形態に係る逓倍回路２において、第１インダクター回路部１１０ａ及び第２インダクター回路部５１ａの少なくとも１つは、可変インダクタンス回路であり、制御部３０は、可変インダクタンス回路のインダクタンスを制御してもよい。図４に示される例では、第１インダクター回路部１１０ａ及び第２インダクター回路部５１ａは、いずれも可変インダクタンス回路である。
【００５７】
第１インダクター回路部１１０ａのインダクタンスが変化すると、第１同調回路１００の同調周波数が変化する。また、第２インダクター回路部５１ａのインダクタンスが変化すると、第２同調回路５０の同調周波数が変化する。したがって、第２実施形態に係る逓倍回路２によれば、第１同調回路１００の同調周波数及び第２同調回路５０の同調周波数を容易に制御できる逓倍回路２を実現できる。
【００５８】
第１インダクター回路部１１０ａ及び第２インダクター回路部５１ａを構成する可変インダクタンス回路は、インダクターアレイ回路を含んで構成されていてもよい。図５は、インダクターアレイ回路の一例を示す回路図である。
【００５９】
図５に示されるインダクターアレイ回路は、互いに並列に接続されたインダクターＬ１、インダクターＬ２、インダクターＬ３及びインダクターＬ４と、インダクターＬ１と直列に接続されたスイッチＳＷ１１、インダクターＬ２と直列に接続されたスイッチＳＷ１２、インダクターＬ３と直列に接続されたスイッチＳＷ１３、及び、インダクターＬ４と直列に接続されたスイッチＳＷ１４を含んで構成されている。インダクターＬ１、インダクターＬ２、インダクターＬ３及びインダクターＬ４のインダクタンスは、それぞれ異なっていてもよい。このように構成されたインダクターアレイ回路は、スイッチＳＷ１１〜ＳＷ１４をオン状態にする組み合わせを変えることで、インダクターアレイ回路の全体としてのインダクタンスを変更できる。
【００６０】
したがって、第１インダクター回路部１１０ａ及び第２インダクター回路部５１ａとして図５に示されるようなインダクターアレイ回路を用いると、制御部３０は、スイッチＳＷ１１〜ＳＷ１４のオン／オフを制御することでインダクタンスを容易に制御できる。したがって、可変インダクタンス回路のインダクタンスを容易に制御できる逓倍回路２を実
現できる。
【００６１】
３．発振器
図６は、本実施形態に係る発振器２００の回路図である。なお、第１実施形態に係る逓倍回路１と同様の構成には同一の符号を付し、詳細な説明を省略する。
【００６２】
本実施形態に係る発振器２００は、第１実施形態に係る逓倍回路１と、共振子６０と、共振子６０の振動に基づいて逓倍回路１に発振信号を出力する発振回路７０と、を含んで構成されている。
【００６３】
共振子６０としては、水晶振動子やＭＥＭＳ（Micro Electro Mechanical Systems）振動子など、種々の公知の共振子を採用できる。本実施形態においては、共振子６０は、水晶振動子である。
【００６４】
発振回路７０は、共振子６０の振動に基づいて逓倍回路１に発振信号を出力する。図６に示される例では、発振回路７０は、発振信号を逓倍回路１の入力端子ＩＮに出力する。発振回路７０としては、コルピッツ型発振回路、インバーター型発振回路、クラップ型発振回路、ハートレー型発振回路など、種々の公知の発振回路を採用できる。本実施形態においては、発振回路７０は、コルピッツ型発振回路である。
【００６５】
本実施形態に係る発振器２００によれば、多様な周波数に対応できる逓倍回路１を含んでいるので、設計変更が容易な発振器２００を実現できる。
【００６６】
なお、発振器２００において、逓倍回路１に代えて、第２実施形態に係る逓倍回路２を用いても、同様の理由によって同様の効果を奏する。
【００６７】
４．電子機器
図７は、本実施形態に係る電子機器３００の機能ブロック図である。なお、上述された各実施形態と同様の構成には同一の符号を付し、詳細な説明を省略する。
【００６８】
本実施形態に係る電子機器３００は、第１実施形態に係る逓倍回路１を含む電子機器３００である。図７に示される例では、電子機器３００は、共振子６０、発振回路７０、ＣＰＵ（Central Processing Unit）３２０、操作部３３０、ＲＯＭ（Read Only Memory）３４０、ＲＡＭ（Random Access Memory）３５０、通信部３６０、表示部３７０、音出力部３８０を含んで構成されている。なお、本実施形態に係る電子機器３００は、図７に示される構成要素（各部）の一部を省略又は変更してもよいし、他の構成要素を付加した構成としてもよい。
【００６９】
逓倍回路１は、クロックパルスをＣＰＵ３２０だけでなく各部に供給する（図示は省略）。クロックパルスは、例えば共振子６０と接続された発振回路７０からの発振信号から所望の高調波信号を逓倍回路１で取り出した信号であってもよい。なお、電子機器３００は、逓倍回路１そのものではなく、逓倍回路１を含む発振器２００（必要な回路、部品とともにパッケージングされた発振器２００）を含んでもよい。
【００７０】
ＣＰＵ３２０は、ＲＯＭ３４０等に記憶されているプログラムに従い、逓倍回路１が出力するクロックパルスを用いて各種の計算処理や制御処理を行う。具体的には、ＣＰＵ３２０は、操作部３３０からの操作信号に応じた各種の処理、外部とデータ通信を行うために通信部３６０を制御する処理、表示部３７０に各種の情報を表示させるための表示信号を送信する処理、音出力部３８０に各種の音を出力させる処理等を行う。
【００７１】
操作部３３０は、操作キーやボタンスイッチ等により構成される入力装置であり、ユーザーによる操作に応じた操作信号をＣＰＵ３２０に出力する。
【００７２】
ＲＯＭ３４０は、ＣＰＵ３２０が各種の計算処理や制御処理を行うためのプログラムやデータ等を記憶している。
【００７３】
ＲＡＭ３５０は、ＣＰＵ３２０の作業領域として用いられ、ＲＯＭ３４０から読み出されたプログラムやデータ、操作部３３０から入力されたデータ、ＣＰＵ３２０が各種プログラムに従って実行した演算結果等を一時的に記憶する。
【００７４】
通信部３６０は、ＣＰＵ３２０と外部装置との間のデータ通信を成立させるための各種制御を行う。
【００７５】
表示部３７０は、ＬＣＤ（Liquid Crystal Display）や電気泳動ディスプレイ等により構成される表示装置であり、ＣＰＵ３２０から入力される表示信号に基づいて各種の情報を表示する。
【００７６】
そして、音出力部３８０は、スピーカー等の音を出力する装置である。
【００７７】
本実施形態に係る電子機器３００によれば、多様な周波数に対応できる逓倍回路１を含んでいるので、設計変更が容易な電子機器３００を実現できる。
【００７８】
なお、電子機器３００において、逓倍回路１に代えて、第２実施形態に係る逓倍回路２を用いても、同様の理由によって同様の効果を奏する。
【００７９】
電子機器３００としては種々の電子機器が考えられる。例えば、パーソナルコンピューター（例えば、モバイル型パーソナルコンピューター、ラップトップ型パーソナルコンピューター、タブレット型パーソナルコンピューター）、携帯電話機などの移動体端末、ディジタルスチールカメラ、インクジェット式吐出装置（例えば、インクジェットプリンター）、ルーターやスイッチなどのストレージエリアネットワーク機器、ローカルエリアネットワーク機器、テレビ、ビデオカメラ、ビデオレコーダー、カーナビゲーション装置、ページャー、電子手帳（通信機能付も含む）、電子辞書、電卓、電子ゲーム機器、ゲーム用コントローラー、ワードプロセッサー、ワークステーション、テレビ電話、防犯用テレビモニター、電子双眼鏡、ＰＯＳ（point of sale）端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライシミュレーター、ヘッドマウントディスプレイ、モーショントレース、モーショントラッキング、モーションコントローラー、ＰＤＲ（歩行者位置方位計測）等が挙げられる。
【００８０】
図８は、電子機器３００の一例であるスマートフォンの外観の一例を示す図である。電子機器３００であるスマートフォンは、操作部３３０としてボタンを、表示部３７０としてＬＣＤを備えている。そして、電子機器３００であるスマートフォンは、逓倍回路１を用いることによって、設計変更が容易な電子機器３００を実現できる。
【００８１】
５．移動体
図９は、本実施形態に係る移動体４００の一例を示す図（上面図）である。なお、上述された各実施形態と同様の構成には同一の符号を付し、詳細な説明を省略する。
【００８２】
本実施形態に係る移動体４００は、第１実施形態に係る逓倍回路１を含む移動体４００である。また、図９に示される例では、移動体４００は、エンジンシステム、ブレーキシ
ステム、キーレスエントリーシステム等の各種の制御を行うコントローラー４２０、コントローラー４３０、コントローラー４４０、バッテリー４５０及びバックアップ用バッテリー４６０を含んで構成されている。なお、本実施形態に係る移動体４００は、図９に示される構成要素（各部）の一部を省略又は変更してもよいし、他の構成要素を付加した構成としてもよい。
【００８３】
移動体４００は、逓倍回路１に加えて、共振子６０と、共振子６０の振動に基づいて逓倍回路１に発振信号を出力する発振回路７０と、をさらに含んでいてもよい。なお、移動体４００は、逓倍回路１そのものではなく、逓倍回路１を含む発振器２００（必要な回路、部品とともにパッケージングされた発振器２００）を含んでもよい。
【００８４】
本実施形態に係る移動体４００によれば、多様な周波数に対応できる逓倍回路１を含んでいるので、設計変更が容易な移動体４００を実現できる。
【００８５】
なお、移動体４００において、逓倍回路１に代えて、第２実施形態に係る逓倍回路２を用いても、同様の理由によって同様の効果を奏する。
【００８６】
このような移動体４００としては種々の移動体が考えられ、例えば、自動車（電気自動車も含む）、ジェット機やヘリコプター等の航空機、船舶、ロケット、人工衛星等が挙げられる。
【００８７】
６．その他の変形例
逓倍回路１及び逓倍回路２は、例えば電子部品を用いて基板上に構成されてもよいし、ＩＣ（Integrated Circuit）化されて半導体集積回路装置として提供されてもよい。逓倍回路１及び逓倍回路２がＩＣ化されて半導体集積回路装置として提供される場合には、逓倍回路１及び逓倍回路２が１チップ化された電子部品となっているため使用者にとって使い勝手がよい。また、逓倍回路１又は逓倍回路２と、共振子６０と、発振回路７０とが、発振器２００としてパッケージングされて１つの電子部品として提供されてもよい。
【００８８】
以上、本実施形態あるいは変形例について説明したが、本発明はこれら本実施形態あるいは変形例に限られるものではなく、その要旨を逸脱しない範囲において種々の態様で実施することが可能である。
【００８９】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００９０】
１…逓倍回路、２…逓倍回路、１０…増幅回路、１１…トランジスター、１２…抵抗、１３…抵抗、１４…抵抗、２０…記憶部、３０…制御部、４０…第２コンデンサー回路部、５０…第２同調回路、５０ａ…第２同調回路、５１…第２インダクター回路部、５１ａ…第２インダクター回路部、５２…第３コンデンサー回路部、６０…共振子、７０…発振回路、１００…第１同調回路、１００ａ…第１同調回路、１１０…第１インダクター回路部、１１０ａ…第１インダクター回路部、１２０…第１コンデンサー回路部、２００…発振器、３００…電子機器、３２０…ＣＰＵ、３３０…操作部、３４０…ＲＯＭ、３５０…ＲＡＭ、３６０…通信部、３７０…表示部、３８０…音声出力部、４００…移動体、４２０…コントローラー、４３０…コントローラー、４４０…コントローラー、４５０…バッテ
リー、４６０…バックアップ用バッテリー、Ｃ１〜Ｃ４…コンデンサー、ＧＮＤ…接地電位、ＩＮ…入力端子、Ｌ１〜Ｌ４…インダクター、ＯＵＴ…出力端子、Ｓ…外部信号、Ｓ１…制御信号、Ｓ２…制御信号、Ｓ３…制御信号、ＳＷ１〜ＳＷ４…スイッチ、ＳＷ１１〜ＳＷ１４…スイッチ、Ｖｃｃ…電源電位
【図１】
2014197756.tif 000003
【図２】
2014197756.tif 000004
【図３】
2014197756.tif 000005
【図４】
2014197756.tif 000006
【図５】
2014197756.tif 000007
【図６】
2014197756.tif 000008
【図７】
2014197756.tif 000009
【図８】
2014197756.tif 000010
【図９】
2014197756.tif 000011